(57)【要約】【課題】ハンドルをオン位置まで回転させた際に、ハンドルがオン位置を通り過ぎてオフ方向に回転してしまうのを防止したスイッチを提供する。【解決手段】操作ハンドル１１の周面に突設された係合突起１１ｄをガイドするガイド溝３０ａ…を器体１に設け、オン位置で係合突起１１ｄが係合するロック溝３１をガイド溝３０ａ…を上側に窪ませることで形成してあり、自由端をガイド溝３０ａ…に突出させた状態で器体１に片持ち支持され、操作ハンドル１１がオン位置まで回転したときに自由端が係合突起１１ｄに当接することで操作ハンドル１１の回転を規制して係合突起１１ｄをロック溝３１に係合させるとともに、ロック状態から操作ハンドル１１を押し込むことでロック溝３１の外に出た係合突起１１ｄが自由端を後側に撓めることでガイド溝３０ａ…を開放して操作ハンドル１１の回転を可能にするストッパ片１２を設けてある。【選択図】図１
2005100856.tif 000002
【特許請求の範囲】
【請求項１】
固定接点と、該固定接点に接離する可動接点と、前記両接点を収納する器体と、少なくとも操作部を器体の前面に露出させた状態で器体に対して一方向に回転自在に取り付けられる開閉操作用の操作ハンドルと、器体の内部に収納され操作ハンドルの回転操作に応じて前記両接点間を開閉させる開閉機構と、操作ハンドルがオン位置まで回されると操作ハンドルの回転を規制してオン位置でロックするとともに、ロック状態から操作ハンドルを押し込むことによってロック状態を解除して操作ハンドルを開放するロック手段とを備えて成ることを特徴とするスイッチ。
【請求項２】
操作ハンドルを前方に付勢する手段を備え、操作ハンドルの周面に係合突起を形成するとともに、操作ハンドルの周面と対向する器体内部の部位に係合突起をガイドするガイド溝を回転方向に沿って形成し、操作ハンドルがオン位置まで回転した時に係合突起が係合するロック溝をガイド溝の端面を前方に窪ませることで形成してあり、自由端をガイド溝に突出させた状態で器体に片持ち支持され、操作ハンドルがオン位置まで回転したときに自由端が係合突起に当接することで操作ハンドルの回転を規制して係合突起をロック溝に係合させるとともに、ロック状態の操作ハンドルを押し込むことによってロック溝の外に出た係合突起により自由端が後側に撓められることでガイド溝を開放して操作ハンドルの回転を可能にするストッパ片を設け、該ストッパ片でロック手段を構成したことを特徴とする請求項１記載のスイッチ。
【請求項３】
操作ハンドルを前方に付勢する手段を備え、操作ハンドルの周面に係合突起を形成するとともに、操作ハンドルの周面と対向する器体内部の部位に係合突起をガイドするガイド溝を回転方向に沿って形成し、操作ハンドルがオン位置まで回転した時に係合突起が係合するロック溝をガイド溝の端面を前方に窪ませることで形成してあり、ロック溝に臨むようにしてガイド溝内に突出する係止爪を具備し前後方向において撓み自在に器体に取り付けられるストッパ片と、操作ハンドルの係合突起が係止爪を回転方向に押す力で撓められると係止爪がロック溝の端に移動するまでストッパ片を移動させるとともに、係合突起が係止爪を押す力がなくなると復帰力によってストッパ片を初期位置に戻す撓み部とでロック手段を構成したことを特徴とする請求項１記載のスイッチ。
【発明の詳細な説明】
【技術分野】
【０００１】
本発明は、スイッチに関するものである。
【背景技術】
【０００２】
従来より、固定接点と、固定接点に接離する可動接点と、両接点を収納する器体と、少なくとも操作部を器体の表面に露出させた状態で器体に対して回転自在に取り付けられる操作ハンドルと、器体の内部に収納され操作ハンドルの回転操作に応じて両接点間を開閉する開閉機構とを備えたスイッチが提供されている（例えば特許文献１参照）。
【０００３】
このような回転式スイッチには、ハンドルをオン位置でロックする手段を備え、ハンドルを押し込むことによってロックを解除し、回転操作を行えるようにしたものもあり、例えば図２２（ａ）に示すように、ハンドルの周面にロック爪５１を突設するとともに、このロック爪５１をガイドするガイド溝５２を器体に設けてあり、ハンドルがオン位置まで回された時にロック爪５１が係合するロック溝５３が、ガイド溝５２を上側に窪ませることによって形成されている。而してハンドルをオン位置まで回転させた状態で、ハンドルを下側に押す力を無くすと、ハンドルが上側に移動して、ハンドルのロック爪５１がロック溝５３と係合し、ハンドルがオン位置でロックされるようになっている。
【特許文献１】特開平９−２１３１７０号公報
【発明の開示】
【発明が解決しようとする課題】
【０００４】
上記構成のスイッチでは、ハンドルをオン位置まで回転させると、ハンドルのロック爪５１がロック溝５３と係合することで、ハンドルをオン位置にロックしているのであるが、ハンドルを下側に押し込みながら回転させると、図２２（ｂ）に示すようにハンドルのロック爪５１がロック溝５３に係合することなく、ロック溝５３を通り過ぎてオフ方向に回ってしまい、ハンドルをオフ方向へ回し過ぎると接点が再びオフしてしまうという問題があった。
【０００５】
本発明は上記問題点に鑑みて為されたものであり、その目的とするところは、ハンドルをオン位置まで回転させた際に、ハンドルがオン位置を通り過ぎてオフ方向に回転してしまうのを防止したスイッチを提供することにある。
【課題を解決するための手段】
【０００６】
上記目的を達成するために、請求項１の発明は、固定接点と、該固定接点に接離する可動接点と、前記両接点を収納する器体と、少なくとも操作部を器体の前面に露出させた状態で器体に対して一方向に回転自在に取り付けられる開閉操作用の操作ハンドルと、器体の内部に収納され操作ハンドルの回転操作に応じて前記両接点間を開閉させる開閉機構と、操作ハンドルがオン位置まで回されると操作ハンドルの回転を規制してオン位置でロックするとともに、ロック状態から操作ハンドルを押し込むことによってロック状態を解除して操作ハンドルを開放するロック手段とを備えて成ることを特徴とする。
【０００７】
請求項２の発明は、請求項１の発明において、操作ハンドルを前方に付勢する手段を備え、操作ハンドルの周面に係合突起を形成するとともに、操作ハンドルの周面と対向する器体内部の部位に係合突起をガイドするガイド溝を回転方向に沿って形成し、操作ハンドルがオン位置まで回転した時に係合突起が係合するロック溝をガイド溝の端面を前方に窪ませることで形成してあり、自由端をガイド溝に突出させた状態で器体に片持ち支持され、操作ハンドルがオン位置まで回転したときに自由端が係合突起に当接することで操作ハンドルの回転を規制して係合突起をロック溝に係合させるとともに、ロック状態の操作ハンドルを押し込むことによってロック溝の外に出た係合突起により自由端が後側に撓められることでガイド溝を開放して操作ハンドルの回転を可能にするストッパ片を設け、該ストッパ片でロック手段を構成したことを特徴とする。
【０００８】
請求項３の発明は、請求項１の発明において、操作ハンドルを前方に付勢する手段を備え、操作ハンドルの周面に係合突起を形成するとともに、操作ハンドルの周面と対向する器体内部の部位に係合突起をガイドするガイド溝を回転方向に沿って形成し、操作ハンドルがオン位置まで回転した時に係合突起が係合するロック溝をガイド溝の端面を前方に窪ませることで形成してあり、ロック溝に臨むようにしてガイド溝内に突出する係止爪を具備し前後方向において撓み自在に器体に取り付けられるストッパ片と、操作ハンドルの係合突起が係止爪を回転方向に押す力で撓められると係止爪がロック溝の端に移動するまでストッパ片を移動させるとともに、係合突起が係止爪を押す力がなくなると復帰力によってストッパ片を初期位置に戻す撓み部とでロック手段を構成したことを特徴とする。
【発明の効果】
【０００９】
以上説明したように、請求項１の発明では、操作ハンドルをオン位置まで回すと、ロック手段が操作ハンドルの回転を規制し、その後ロック状態から操作ハンドルを押し込むことによってロック手段によるロックが解除されるので、オン操作の際に操作ハンドルがオン位置を通り過ぎて、オフ方向に回し続けられるのを防止でき、操作ハンドルがオフ位置まで回されて接点がオフしたり、操作ハンドルがオン位置とオフ位置の途中で止まって接点のオン／オフ状態が判別できなくなるのを防止できる。
【００１０】
また請求項２の発明では、操作ハンドルがオン位置まで回転したときにストッパ片の自由端が係合突起に当接することで、操作ハンドルの回転が規制されて、係合突起がロック溝に係合するから、オン位置を通り過ぎてオフ方向に回転するのを防止でき、さらにロック状態の操作ハンドルを押し込むと、ロック溝の外に出た係合突起によってストッパ片の自由端が後側に撓められることで、ガイド溝が開放されて操作ハンドルの回転を可能にするから操作ハンドルのロック状態を容易に解除できる。
【００１１】
また請求項３の発明では、操作ハンドルがオン位置まで回転すると、係合突起によってストッパ片の係止爪が押されることで撓み部が撓み、係止爪がロック溝の端に移動するまでストッパ片が移動するが、係合突起と係止爪とが係止しているので、操作ハンドルがそれ以上回転することができず、オン位置を通り過ぎてオフ方向に回転するのを防止でき、さらにロック状態の操作ハンドルを押し込むと、ロック溝の外に出た係合突起によってストッパ片が後側に撓められることで、ガイド溝が開放されて操作ハンドルの回転を可能にするから操作ハンドルのロック状態を容易に解除できる。
【発明を実施するための最良の形態】
【００１２】
本発明の実施の形態を図１〜図２１に基づいて説明する。尚、以下の説明では特に断りがないかぎり、図３に示す向きにおいて上下左右の方向を規定し、図３の正面を前面とする。
【００１３】
このスイッチの器体１は略直方体状であって、一側面（前面）が開口した略箱状の合成樹脂製のボディ２と、一側面（後面）が開口した略箱状であってボディ２の開口に被着される合成樹脂製のカバー３とで構成される。なおボディ２の四隅には、ねじなどの固定具を挿通するための挿通孔１８が貫設されており、これらの挿通孔１８に挿通したねじ（図示せず）をカバー３のねじ穴に螺合することによって、ボディ２とカバー３とが結合される。
【００１４】
器体１には、開閉操作用の操作摘み１１ｂを外部に露出させた状態で操作ハンドル１１が一方向（本実施形態では上側から見て時計回り）に回転自在に保持されている。また、器体１の内部には、固定接点５Ａ，５Ｂがそれぞれ固着された２つの固定端子板４Ａ，４Ｂと、各固定接点５Ａ，５Ｂに接離自在に対向する可動接点６Ａ，６Ｂを固着した可動接触子７と、可動接触子７を保持して器体１内部で上下動作することにより接点をオン／オフする接触子ホルダー８と、可動接触子７を接触子ホルダー８側（下側）に付勢して接圧を与える接圧ばね９と、接触子ホルダー８をオフ方向（上側）へ付勢して復帰力を与える復帰ばね１０と、操作ハンドル１１がオン操作位置まで回された時に操作ハンドル１１の回転を規制してオン操作位置でロックするとともに、ロック状態で操作ハンドル１１を押し込むことによって操作ハンドル１１のロック状態を解除するストッパ片１２と、操作ハンドル１１に連結されて操作ハンドル１１と共に回転し、操作ハンドル１１の回転を往復運動（上下運動）に変換して接触子ホルダー８に伝達する中間板１３と、中間板１３の回転位置をロックするロックプレート１４と、ロックプレート１４を付勢するロックばね１５とが収納されている。また器体１の前後面にはそれぞれ永久磁石１６と消弧ヨーク１７とが取り付けられている。
【００１５】
ボディ２の内部は、後壁の内側面から立設された隔壁によって、固定接点５Ａ，５Ｂや可動接触子７などの接点部分を収納する下部収納室２０ａと、中間板１３などの開閉機構を収納する上部収納室２１ａとが設けられている。下部収納室２０ａの下側中央には縦長の四角枠状のリブ２３ａが立設され、リブ２３ａの上側壁の前縁には半円状に窪んだ凹部２４が形成されている。またリブ２３ａを挟んで左右両側にはリブ２３ａよりも突出量の大きな横長の角筒状の隔壁２２，２２が立設されており、隔壁２２，２２の内部は後壁に設けた孔（図示せず）を通して外部と連通している。また上部収納室２１ａには横断面が半円状に窪んだ回転支持台２６ａがボディ２と一体に形成されており、この上部収納室２１ａはボディ２の上壁に設けた半円形の開口部２７ａを通して外部と連通している。
【００１６】
一方、カバー３の内部もボディ２の内部と略同じ形状に形成されており、前壁の内側面から立設された隔壁によって接点部を収納する下部収納室２０ｂと、開閉機構を収納する上部収納室２１ｂとが設けられている。下部収納室２０ｂの下側には、リブ２３ａと対向する部位に、リブ２３ａとともに復帰ばね１０の収納室を構成する縦長の四角枠状のリブ２３ｂが立設され、リブ２３ｂの上側壁の前縁には半円状に窪んだ凹部２４が形成されている。またリブ２３ｂを挟んで左右両側には隔壁２２，２２に対向する部位に横長の角孔２５，２５がカバー３の前壁を貫通して形成されている。また上部収納室２１ｂには回転支持台２６ａと対向する部位に横断面が半円状に窪んだ回転支持台２６ｂがカバー３と一体に形成されており、この上部収納室２１ｂはカバー３の上壁に設けた半円形の開口部２７ｂを通して外部と連通している。
【００１７】
２つの固定端子板４Ａ，４Ｂは銅合金のような導電性の良好な金属により同一形状・同一寸法に形成されており、前面から見た形状がコ字形であって上側片に固定接点５Ａ，５Ｂが固着されたコ字状部４ａと、側面視の形状がＬ字形であって縦片に端子ねじを挿通する挿通孔４ｄが形成された端子片４ｃと、コ字状部４ａの下側片と端子片４ｃの横片との間を連結する連結片４ｂとを備える。これら２つの固定端子板４Ａ…は、それぞれ、ボディ２の隔壁２２の周りにコ字状部４ａを嵌め込むようにしてボディ２に取り付けられ、固定接点５Ａ…が固着されたコ字状部４ａの上側片は隔壁２２の上側に載置される。このとき固定端子板４Ａの連結片４ｂはボディ２の側壁に設けたスリット２８に嵌め込まれ、スリット２８を通して端子片４ｃが器体１の外側に露出する。また固定端子板４Ｂの連結片４ｂはカバー３の側壁に設けたスリット２９に嵌め込まれ、スリット２９を通して端子片４ｃが器体１の外側に露出する。
【００１８】
可動接触子７は、銅合金のような導電性の良好な帯状の金属板に曲げ加工を施すことによって、中間部が両側部に比べて上側に突出したような形状に形成されており、両側部の下面には固定接点５Ａ，５Ｂと接離する可動接点６Ａ，６Ｂがそれぞれ固着されている。また可動接触子７の上面における長手方向中間部には、接圧ばね９の下端を収める丸穴７ａが形成されている。
【００１９】
接触子ホルダー８は合成樹脂成型品からなり、図１２（ａ）〜（ｄ）に示すように、ボディ２とカバー３とを結合した際にリブ２３ａ，２３ｂの凹部２４，２４でできる丸孔内に挿入される丸棒状のシャフト８ａと、シャフト８ａが下面に突設された中央片８ｂと、回転支持台２６ａ，２６ｂの内周面で構成される円周面よりも若干径の小さい円板部８ｃと、中央片８ｂの前後方向における両側縁から上方に突出し、上端部が円板部８ｃに連結された連結片８ｄ，８ｄと、円板部８ｃの円周部における中心点に対して対称な位置から上方に向かって突出する一対のガイド片８ｅ，８ｅと、円板部８ｃの円周部におけるガイド片８ｅ，８ｅの間の位置からそれぞれ上方に向かって突出する山型のカム４０，４０とを備える。２つのカム４０，４０は円板部８ｃの中心軸に対して対称な形状に形成されており、回転方向における先頭側から後側に行くにつれて上側への突出量が徐々に増加する傾斜面４０ａと、傾斜面４０ａの後端から連続する平坦面４０ｂと、平坦面４０ｂの後端から連続する垂直面４０ｃとを有している。
【００２０】
操作ハンドル１１は合成樹脂成型品からなり、図１３（ａ）〜（ｅ）に示すように、ボディ２とカバー３とを結合した際に開口部２７ａ，２７ｂで構成される丸孔内に挿入される円筒状の筒部１１ａと、筒部１１ａの上面に一体に形成された矩形板状の操作摘み１１ｂと、筒部１１ａの下側縁における操作摘み１１ｂを間にした両側部から周方向に突出する鍔部１１ｃ，１１ｃと、鍔部１１ｃ，１１ｃの円周方向の中間部に突設された係合突起１１ｄ，１１ｄと、筒部１１ａの下部からそれぞれ下側に突出する一対の係合凸片１１ｅ，１１ｅと、筒部１１ａの中心部から下側に突出する丸棒状の押圧突起１１ｆとを備える。なおボディ２及びカバー３には開口部２７ａ，２７ｂの奥に操作ハンドル１１の鍔部１１ｃ，１１ｃが嵌るガイド溝３０ａ，３０ｂがそれぞれ形成されており、ガイド溝３０ａ，３０ｂの一方（図３中左側）の結合部位には上側に窪んだロック溝３１が形成されている。
【００２１】
ストッパ片１２は例えばＳＵＳなどの弾性を有する金属板からなり、先端部を上側に折り返すことで爪１２ａが形成され、この爪１２ａをボディ２のロック溝３１に臨ませるようにしてガイド溝３０ａ内に突出させた状態で、ストッパ片１２の基部がボディ２の圧入溝３２に圧入固定されており、器体１に対して片持ち支持されている。
【００２２】
ロックプレート１４は合成樹脂成型品からなり、図１５（ａ）〜（ｄ）に示すように扁平な直方体状の主部１４ａを有し、主部１４ａの長手方向に沿う両側面には係止突起１４ｂが２個ずつ突設されている。主部１４ａの長手方向における一側面には幅細のロック片１４ｃが突設され、他側面にはロックばね１５の一端に挿入されるばね受け突起１４ｄが突設されている。また主部１４ａの上面には凹部１４ｅが形成されている。
【００２３】
中間板１３は、図１４（ａ）〜（ｇ）に示すように合成樹脂により上面が開口した有底円筒状に形成されており、開口縁には側方に突出する鍔部１３ａが一体に形成されている。中間板１３の底壁上面にはロックプレート１４の長手方向に沿う両側面とそれぞれ当接する縦壁１３ｂ，１３ｂが突設され、各々の縦壁１３ｂにはロックプレート１４の各２個の係止突起１４ｂとそれぞれ係止する係止片１３ｃが２個ずつ突設されている。また中間板１３の周壁には、ロックプレート１４のロック片１４ｃと対向する部位にロック片１４ｃを挿通させる挿通孔１３ｄが貫設され、中心軸を挟んで挿通孔１３ｄと反対側の周壁にはロックばね１５の他端を受けるばね座１３ｅが設けられている。また中間板１３の内周面には、操作ハンドル１１の係合凸片１１ｅ，１１ｅがそれぞれ嵌合する係合溝１３ｆ，１３ｆが形成されている。
【００２４】
また中間板１３の外周面には、下側に突出して接触子ホルダー８のカム４０，４０と噛合する山型のカム４１，４１が一体に形成されている。これらのカム４１，４１は中間板１３の中心軸に対して対称な形状に形成されており、回転方向における先端側から後端側に行くにつれて下側への突出量が徐々に大きくなるような傾斜面４１ａと、傾斜面４１ａに連続し傾斜面４１ａよりも傾斜角の急な傾斜面４１ｂと、傾斜面４１ｂに連続する平坦面４１ｃと、平坦面４１ｃに連続して平坦面４１ｃと略直交する垂直面４１ｄと、垂直面４１ｄに連続し回転方向における後端側に行くにしたがって下側への突出量が徐々に小さくなる傾斜面４１ｅとを有している。そして、一方のカム４１の傾斜面４１ａと他方のカム４１の傾斜面４１ｅとは平坦面４１ｆを介して連続している。
【００２５】
而して、接触子ホルダー８のカム４０の平坦面４０ｂが、中間板１３のカム４１の平坦面４１ｆと当接するようにして接触子ホルダー８と中間板１３とが重なっている状態で、操作ハンドル１１の回転操作に伴って中間板１３が上側から見て時計回りに回転すると、カム４０の平坦面４０ｂがカム４１の傾斜面４１ａ，４１ｂ上を相対的に移動することによって、接触子ホルダー８が徐々に下側へ移動し、その後カム４０の平坦面４０ｂがカム４１の平坦面４１ｃに当接すると接触子ホルダー８が下死点で停止する。さらに中間板１３が回転して、カム４０の平坦面４０ｂがカム４１の平坦面４１ｃを超えると、平坦面４０ｂが傾斜面４１ｅに当接するまでカム４０が垂直面４１ｄに沿って上側に移動することで、接触子ホルダー８が上側に急激に移動し、その後カム４０の平坦面４０ｂがカム４１の傾斜面４１ｅ上を相対的に移動することによって、接触子ホルダー８が上死点まで徐々に移動する。
【００２６】
また永久磁石１６，１６は矩形板状であって、長手方向が器体の幅方向に沿うようにして器体１の前面及び後面に取着されている。２つの永久磁石１６は一方の面がＮ極、他方の面がＳ極となるように着磁されており、異極同士が対向するようにして下部収納室２０ａ，２０ｂの前後両側に配置されている。
【００２７】
消弧ヨーク１７は、永久磁石１６を覆う矩形板状の覆い部１７ａを有し、覆い部１７ａの四方の側縁から永久磁石１６を保持する保持片１７ｂが一方向に突出するとともに、覆い部１７ａの下側縁の左右両側から一対の脚片１７ｃが突出しており、各脚片１７ｃをボディ２の隔壁２２に設けた貫通孔２２ａ或いはカバー３の角孔２５内に挿通することによって、ボディ２又はカバー３に固定される。而して器体１に永久磁石１６及び消弧ヨーク１７を取り付けると、各一対の永久磁石１６，１６と消弧ヨーク１７，１７とで磁路が形成され、固定接点５Ａ，５Ｂと可動接点６Ａ，６Ｂとの間に電流が流れる方向（上下方向）に対して直交する方向（前後方向）に磁力が発生し、接点間が開極したときに接点間に発生するアーク（残留電流）が磁力によって引き延ばされて、電路が遮断されるようになっている。
【００２８】
以上のようなスイッチを組み立てるに当たっては、先ず接触子ホルダー８の中央片８ｂと円板部８ｃとの間に可動接触子７を挿入して、中央片８ｂ上に可動接触子７の中間部を載置した後、円板部８ｃ下面の凸部８ｇと可動接触子７の丸穴７ａとの間に接圧ばね９を介装させて、接触子ブロックを組み立てる。このとき可動接触子７は接圧ばね９によって中央片８ｂ側に弾性付勢される。
【００２９】
次に中間板１３の底壁に立設された縦壁１３ｂの係止片１３ｃ，１３ｃと、ロックプレート１４の両側面に突設された係止突起１４ｂ，１４ｂの位置を図１６に示すようにずらした状態でロックプレート１４を中間板１３の底壁に組み込み、ロックプレート１４をスライド移動させて係止片１３ｃと係止突起１４ｂとを係止させるとともに、ロック片１４ｃを中間板１３の挿通孔１３ｄから突出させた後、ロックばね１５をロックプレート１４のばね受け突起１４ｄと中間板１３のばね受け座１３ｅとの間に挿入して、中間板ブロックを組み立てる。このときロックプレート１４は、ロック片１４ｃが中間板１３の周面から外側へ突出する方向にロックばね１５によって弾性付勢される。
【００３０】
そしてボディ２に固定端子板４Ａ，４Ｂと復帰ばね１０とを組み込んだ後、操作ハンドル１１の係合凸片１１ｅ，１１ｅをそれぞれ中間板１３の係合溝１３ｆ，１３ｆに係合させるようにして、操作ハンドル１１を中間板１３に取り付けるとともに、接触子ホルダー８のカム４０，４０と中間板１３のカム４１，４１とを当接させるようにして、接触子ホルダー８の円板部８ｃ上に中間板１３を重ねた状態で、接極子ブロックと中間板ブロックと操作ハンドル１１とをボディ２に組み込む。このとき中間板１３に保持されたロックプレート１４の凹部１４ｅ内に操作ハンドル１１の押圧突起１１ｆが挿入されるとともに、中間板１３及び接触子ホルダー８のカム４０，４１が回転支持台２６ａ上に載置されており、さらに接触子ホルダー８に保持された可動接触子７の可動接点６Ａ，６Ｂが固定端子板４Ａ，４Ｂの固定接点５Ａ，５Ｂに対向配置される。
【００３１】
次にボディ２の開口を塞ぐようにしてカバー３を被せ、ボディ２とカバー３とを結合する。このとき操作ハンドル１１の鍔部１１ｃ，１１ｃが、ボディ２及びカバー３のガイド溝３０ａ，３０ｂにそれぞれ係合することで、操作ハンドル１１が回転自在に保持される。また中間板１３の鍔部１３ａが回転支持台２６ａ，２６ｂに周方向に沿って形成された凹溝３３ａ，３３ｂと係合することで、中間板１３が回転自在に支持される。さらに接触子ホルダー８のガイド片８ｅ，８ｅが、回転支持台２６ａ，２６ｂに上下方向に沿って形成された縦溝３４ａ，３４ｂに係合するとともに、シャフト８ａが凹部２４，２４を通してリブ２３ａ，２３ｂ内に配置されることで、接触子ホルダー８が上下方向に沿ってスライド自在に保持される。またシャフト８ａ先端の大径部はリブ２３ａ，２３ｂ内に配置され、シャフト８ａの先端部と器体１底壁との間に復帰ばね１０が介装されており、復帰ばね１０のばね力によって接触子ホルダー８が上側に弾性付勢されている。なおガイド片８ｅ，８ｅが係合する縦溝３４ａ，３４ｂは、操作ハンドル１１をオン操作位置からオフ操作位置へ回転させるまでの間に、中間板１３の周面から突出するロック片１４ｃが通過する部位に形成されている。
【００３２】
そしてボディ２の貫通孔２２ａ，２２ａ及びカバー３の角孔２５，２５に、それぞれ、永久磁石１６を保持した消弧ヨーク１７の脚片１７ｃ，１７ｃを圧入することによって、ボディ２及びカバー３に永久磁石１６と消弧ヨーク１７とが取り付けられ、スイッチの組立が完了する。
【００３３】
次にこのスイッチの動作について図３〜図１１を参照して説明する。回転支持台２６ａ，２６ｂには、中間板１３の周面から突出するロック片１４ｃをガイドするガイド溝３５ａ，３５ｂが円周方向に沿って形成され、さらに両ガイド溝３５ａ，３５ｂの連結部位にはガイド溝３５ａ，３５ｂよりも深い凹部３６ａ，３６ｂが形成されており、操作ハンドル１１をオフ操作位置まで回転させた状態では、凹部３６ａ，３６ｂからなるロック用凹部３６にロック片１４ｃが係合することで、中間板１３がオフ位置にロックされている（図９（ａ）参照）。また操作ハンドル１１の押圧突起１１ｆがロックプレート１４の凹部１４ｅの縁と当接しているので、ロックばね１５の付勢力を押圧突起１１ｆが受けることで、操作ハンドル１１は上側に弾性付勢されている。
【００３４】
このオフ状態で操作ハンドル１１を下側に押し込むと、押圧突起１１ｆの先端に設けたテーパ面でロックプレート１４の凹部１４ｅの縁が押されることで、ロックばね１５のばね力に抗してロックプレート１４が図９（ａ）中の右側へ移動し、ロック片１４ｃがロック用凹部３６の外に出てロック状態が解除される（図９（ｂ）参照）。そして操作ハンドル１１を押し込んだ状態で、操作ハンドル１１を上側から見て時計回りに回転させると、操作ハンドル１１と共に中間板１３が時計回りに回転し（図９（ｃ）参照）、接触子ホルダー８に設けたカム４０の平坦面４０ｂが、中間板１３のカム４１に設けた傾斜面４１ａ，４１ｂ上を相対的に移動することで、接触子ホルダー８が復帰ばね１０のばね力に抗して下方に押し下げられる。
【００３５】
そして操作ハンドル１１をオフ操作位置から約９０度時計回りに回転させると、図３及び図４に示すようにカム４０の平坦面４０ｂがカム４１の平坦面４１ｃに当接して、接触子ホルダー８が下死点まで移動する。このとき接触子ホルダー８に保持された可動接触子７の可動接点６Ａ，６Ｂが固定接点５Ａ，５Ｂと接触して、２つの固定端子板４Ａ，４Ｂの間が可動接触子７を介して電気的に接続される（図３及び図４参照）。なお可動接触子７は接圧ばね９のばね力によって下向きに付勢されており、可動接点６Ａ，６Ｂと固定接点５Ａ，５Ｂとの接圧が確保される。またこの時ロックプレート１４のロック片１４ｃが、ガイド溝３５ａ，３５ｂの途中に設けたロック用凹部３７に係合することによって、中間板１３がオン位置にロックされている（図９（ｄ）参照）。なおロック片１４ｃをガイドするガイド溝３５ａ，３５ｂはオン位置の手前側からオン位置にかけて溝深さが徐々に浅くなっており、ロック用凹部３７の手前に段差が設けられているので、この段差をロック片１４ｃが乗り越えることによってクリック感を与えることができる。
【００３６】
また図１１（ａ）に示すように、操作ハンドル１１の係合突起１１ｄは、操作ハンドル１１の回転に伴ってガイド溝３０ａ，３０ｂ内を移動するのであるが、操作ハンドル１１がオン操作位置まで回された時に係合突起１１ｄが係合するロック溝３１がガイド溝３０ａ，３０ｂを上側に窪ませることで形成されており、さらにロック溝３１に対してオフ側寄りの位置にはストッパ片１２が配置されているので、操作ハンドル１１をオン操作位置まで回転させると、係合突起１１ｄがストッパ片１２に当接することで、操作ハンドル１１がオン操作位置を通り過ぎてオフ方向へ回転するのが規制される（図１１（ｂ）参照）。なお本実施形態では１個のストッパ片１２で操作ハンドル１１の回転を規制しているが、１個のストッパ片１２で操作荷重に耐えられない場合には他方の係合突起１１ｄと係合するストッパ片１２を設けて、２個のストッパ片１２で操作荷重を受けるようにしても良い。
【００３７】
ここで操作ハンドル１１はロックばね１５のばね力によって上向きに付勢されているので、図１１（ｂ）に示す状態から操作ハンドル１１を下向きに押す力を無くすと、操作ハンドル１１が上側に移動し、係合突起１１ｄの進行方向後側に設けたテーパ面がロック溝３１の内側面に設けたテーパ面にガイドされて（図１１（ｃ）参照）、係合突起１１ｄがロック溝３１内に係入し、操作ハンドル１１がオン操作位置でロックされる（図１１（ｄ）参照）。このように操作ハンドル１１をオン操作位置まで回転させると、操作ハンドル１１の係合突起１１ｄがストッパ片１２に当接することで、操作ハンドル１１がオン操作位置を通り過ぎてオフ方向に回転するのを防止しているので、オン操作位置を通り過ぎてオフ操作位置まで回ってしまい、接点が再びオフになるのを防止できる。
【００３８】
次に接点を開極する際には、図５及び図１１（ｅ）に示すように操作ハンドル１１を下側に押し込み、操作ハンドル１１の係合突起１１ｄでストッパ片１２の爪１２ａを下向きに押し下げることで、係合突起１１ｄがロック溝３１から外に出て、操作ハンドル１１のロック状態が解除されるとともに、操作ハンドル１１の押圧突起１１ｆでロックプレート１４の凹部１４ｅの縁を押圧することで、ロックプレート１４をロックばね１５のばね力に抗して図９（ｄ）中の下側にスライド移動させ、ロック片１４ｃをロック用凹部３７から離脱させて中間板１３のロック状態を解除する。
【００３９】
そして操作ハンドル１１及び中間板１３のロック状態を解除した後に、操作ハンドル１１を下向きに押し込みながら時計回りに回転させると、図６に示すように中間板１３に設けたカム４１の平坦面４１ｃが接触子ホルダー８に設けたカム４０の平坦面４０ｂから外れるため、カム４０の平坦面４０ｂがカム４１の傾斜面４１ｅに当接する位置まで接触子ホルダー８が復帰ばね１０のばね力によって上側に移動する。このとき、可動接触子７が接触子ホルダー８と共に上側へ移動し、可動接点６Ａ，６Ｂが固定接点５Ａ，５Ｂから開離する。図１０（ａ）は接点が開極した直後の中間板１３の回転位置を示しており、操作ハンドル１１のオン操作位置とオフ操作位置との間で接点が開極する。
【００４０】
そして操作ハンドル１１をオン操作位置から約９０度時計回りに回転させると、接触子ホルダー８に設けたカム４０の平坦面４０ｂが、中間板１３に設けたカム４１，４１の連結部位の平坦面４１ｆに当接して、接触子ホルダー８が上死点まで移動する（図７及び図８参照）。また図１０（ｃ）に示すようにロック片１４ｃがロック用凹部３６と係合して、中間板１３の回転位置がロックされる。
【００４１】
ところでオン状態において接点間に過大電流が流れるなどして接点溶着が発生すると、上述のように操作ハンドル１１をオン操作位置からオフ操作位置に向かって時計回りに回転させ、操作ハンドル１１とともに中間板１３を回転させても、接点が溶着しているために可動接触子７が上側へ移動することができず、接触子ホルダー８は下死点で停止したままになる。ここで操作ハンドル１１をオン操作位置からオフ操作位置まで回転させる際に、中間板１３の周面から突出するロック片１４ｃは縦溝３４ａ，３４ｂ内に配置されるガイド片８ｅ，８ｅの内側面を通過するのであるが、接点の非溶着時には接触子ホルダー８の上方移動に伴ってガイド片８ｅが縦溝３４ａ，３４ｂを上側に移動するから、ガイド片８ｅの下側部分を通過することになる。一方、接点の溶着時には接触子ホルダー８が下死点で停止しているため、ロック片１４ｃはガイド片８ｅの上側部分を通ることになる。
【００４２】
ここで、図１２（ｃ）に示すようにガイド片８ｅの内側面は、接点の非溶着時にロック片１４ｃが通過する下側部分が回転支持台２６ａ，２６ｂの円周面と略面じ円周面に形成され、接点に溶着時にロック片１４ｃが通過する上側部分には内側に突出する係止突起８ｆが形成されているので、接点の非溶着時にはロック片１４ｃがガイド片８ｅの下側部分を通過できるが、接点の溶着時には図１０（ｂ）（ｄ）に示すようにロック片１４ｃが係止突起８ｆに当接して、操作ハンドル１１のオフ方向への回転が規制される。この場合、操作ハンドル１１はオン操作位置とオフ操作位置との間で止まったままとなり、操作ハンドル１１を動かすことができなくなるので、ユーザに接点溶着が発生したことを知らしめることができ、スイッチの交換を促すことができる。
【００４３】
以上説明したように本実施形態では、爪１２ａをボディ２のロック溝３１に臨ませるようにしてガイド溝３０ａ内に突出させた状態でボディ２に片持ち支持されるストッパ片１２によりロック手段を構成しているが、ロック手段を上記のものに限定する趣旨のものではなく、操作ハンドル１１がオン位置まで回されるとオン位置を越えてオフ方向に回転するのを規制することで操作ハンドル１１をオン位置にロックするとともに、ロック状態で操作ハンドル１１を押し込むことでロック状態を解除して操作ハンドル１１を開放する機能を有していればどのような構成のものでも良い。
【００４４】
例えば図１８（ａ）〜（ｄ）に示すように、先端部に上側に突出する爪４２ａが設けられた弾性を有するストッパ片４２（ロック手段）を、爪４２ａがロック溝３１に臨むようにしてガイド溝３０ａ，３０ｂ内に配置し、このストッパ片４２の基部を器体１に固定しても良い。ここで、ガイド溝３０ａ，３０ｂの内側面には、ロック溝３１と対向する部位を下側に窪ませることによって逃げ溝３８が形成されており、通常時はストッパ片４２の中間部に設けた屈曲部４２ｂが縮んで、ストッパ片４２の先端部が逃げ溝３８内に収まっている（図１８（ａ）参照）。
【００４５】
そして、接点を閉極する際に操作ハンドル１１をオン操作位置まで回転させると、操作ハンドル１１の係合突起１１ｄがストッパ片４２の爪４２ａと係止し、さらに操作ハンドル１１を回転させると、操作ハンドル１１を回転させる力によって屈曲部４２ｂが伸長する。そして図１８（ｂ）に示すように屈曲部４２ｂが最大まで伸びると、爪４２ａがロック溝３１の端に移動するまでストッパ片４２の先端部分が移動するが、係合突起４１ｄが爪４２ａと係止しているので、操作ハンドル１１をそれ以上回転させることができず、この状態で操作ハンドル１１を下向きに押し込む力を無くすと、操作ハンドル１１が上側に移動して操作ハンドル１１の係合突起１１ｄがロック溝３１内に係合し、操作ハンドル１１がオン操作位置にロックされる（図１８（ｃ）参照）。このとき屈曲部４２ｂを伸ばす向きに爪４２ａを押す力が無くなるので、屈曲部４２ｂが縮んで、ストッパ片４２が逃げ溝３８内に収まる。その後、接点を開極する際に操作ハンドル１１を下向きに押し込むと、操作ハンドル１１の係合突起１１ｄによってストッパ片４２の爪４２ａが下向きに押圧され、ストッパ片４２が撓められて爪４２ａが逃げ溝３８内に入り込むことで、ガイド溝３０ａ，３０ｂが開放されるので、操作ハンドル１１をオフ方向に回転させることができる（図１８（ｄ）参照）。
【００４６】
また例えば図２０（ａ）（ｂ）に示すように、先端に爪４３ｂが突設された弧状の撓み片４３ａと、撓み片４３ａの基部から撓み片４３ａと並行に延出するＬ字形のスライド片４３ｃと、スライド片４３ｃの先端部から延出する撓み部４３ｄとを有する樹脂成型品のストッパ片４３を、爪４３ｂがロック溝３１に臨むようにして器体１にスライド移動自在に配置しても良い。ここで、ガイド溝３０ａ，３０ｂの内側面には、ロック溝３１と対向する部位を下側に窪ませることによって逃げ溝３８が形成されており、通常時は撓み部４３ｄのばね復帰力によって撓み片４３ａの先端部が逃げ溝３８内に収まる位置にストッパ片４３の全体がスライド移動している（図１９（ａ）参照）。
【００４７】
そして、接点を閉極する際に操作ハンドル１１をオン操作位置まで回転させると、操作ハンドル１１の係合突起１１ｄがストッパ片４３の爪４３ｂと係止し、さらに操作ハンドル１１を回転させると、操作ハンドル１１を回転させる力によって撓み部４３ｄが撓むことで、ストッパ片４３が図中右側にスライド移動する。そして撓み部４３ｄが最大まで撓むと、爪４３ｂがロック溝３１の端に移動するまでストッパ片４３がスライド移動するが、図１９（ｂ）に示すように係合突起４１ｄが爪４３ｂと係止しているので、操作ハンドル１１をそれ以上回転させることができず、この状態で操作ハンドル１１を下向きに押し込む力を無くすと、操作ハンドル１１が上側に移動して操作ハンドル１１の係合突起１１ｄがロック溝３１内に係合し、操作ハンドル１１がオン操作位置にロックされる。
【００４８】
このとき撓み部４３ｄを撓ませる向きに爪４３ｂを押す力が無くなるので、撓み部４３ｄのばね復帰力によってストッパ片４３が図中左側にスライド移動して撓み片４３ａの先端部が逃げ溝３８内に収まる（図１９（ｃ）参照）。その後、接点を開極する際に操作ハンドル１１を下向きに押し込むと、操作ハンドル１１の係合突起１１ｄによってストッパ片４３の爪４３ｂが下向きに押圧され、撓み片４３ａが撓められて爪４３ｂが逃げ溝３８内に入り込むことで、ガイド溝３０ａ，３０ｂが開放されるので、操作ハンドル１１をオフ方向に回転させることができる（図１９（ｄ）参照）。
【００４９】
なお、このストッパ片４３は合成樹脂成型品で構成されているが、図２０（ｃ）に示すようにＳＵＳなどの弾性を有する板金を折曲加工することでストッパ片４３’を形成しても良く、この場合は撓み片４３ａの先端部を逆レ字形に形成することで爪４３ｅを形成すれば良い。なお爪４３ｅの加工が困難な場合には図２０（ｄ）に示すように撓み片４３ａの先端部を上側に折り返すことで爪４３ｆを形成しても良い。
【００５０】
また例えば図２１（ｂ）に示すように、ＳＵＳなどの弾性を有する板金に折曲加工を施すことによってストッパ片４４（ロック手段）を形成しても良く、このストッパ片４４は前側に開放されたスリットを形成することによって、前端部を上側に折り曲げることで爪４４ａが形成された撓み片４４ｄと、後端部を下側に折り曲げることで返り部４４ｃが形成されたスライド片４４ｅとを後部で一体に連結してあり、撓み片４４ｄの後縁から斜め後方に撓み部４４ｂを延出している。そして、このストッパ片４４は、撓み片４４ｄの先端に設けた爪４４ａを進行方向後側に向け、爪４４ａの先端がロック溝３１に臨むようにして、スライド片４４ｅがスライド自在に器体１に保持されている。
【００５１】
ここで、接点を閉極する際に操作ハンドル１１をオン操作位置まで回転させると、図２１（ａ）に示すように操作ハンドル１１の係合突起１１ｄがストッパ片４４の爪４４ａと係止し、さらに操作ハンドル１１を回転させると、操作ハンドル１１を回転させる力によって撓み部４４ｂが撓むことで、ストッパ片４４が図中右側にスライド移動する。そして撓み部４４ｂが最大まで撓み、爪４４ａがロック溝３１の端に移動するまでストッパ片４４がスライド移動すると、スライド片４４ｅに設けた返り部４４ｃが逃げ溝３８の端に係止することによって、ストッパ片４４のそれ以上のスライド移動が規制される。このとき操作ハンドル１１の係合突起１１ｄが爪４４ａに係合しているので、操作ハンドル１１はそれ以上回転することができず、この状態で操作ハンドル１１を下向きに押し込む力を無くすと、操作ハンドル１１が上側に移動して操作ハンドル１１の係合突起１１ｄがロック溝３１内に係合し、操作ハンドル１１がオン操作位置にロックされる。またこのとき撓み部４４ｂを撓ませる向きに爪４４ａを押す力が無くなるので、撓み部４４ｂの復帰力によってストッパ片４４が図中左側にスライド移動する。その後、接点を開極する際に操作ハンドル１１を下向きに押し込むと、操作ハンドル１１の係合突起１１ｄによってストッパ片４４の爪４４ａが下向きに押圧され、撓み片４４ｄが撓められて爪４４ａが逃げ溝３８内に入り込むことで、ガイド溝３０ａ，３０ｂが開放されるので、操作ハンドル１１をオフ方向に回転させることができる。
【図面の簡単な説明】
【００５２】
【図１】本実施形態のスイッチの分解斜視図である。
【図２】同上の外観斜視図である。
【図３】同上の閉極状態を示し、カバーを外した状態の正面図である。
【図４】同上の閉極状態を示し、カバーを外した状態の断面図である。
【図５】同上の閉極時に操作ハンドルを押し込んだ状態を示し、カバーを外した状態の正面図である。
【図６】同上の開極直後の状態を示し、カバーを外した状態の正面図である。
【図７】同上の開極状態を示し、カバーを外した状態の正面図である。
【図８】同上の開極状態を示し、カバーを外した状態の断面図である。
【図９】（ａ）〜（ｄ）は同上の中間板ブロックの動作を説明する要部断面図である。
【図１０】（ａ）〜（ｃ）は同上の中間板ブロックの動作を説明する要部断面図、（ｄ）は接点溶着時に接触子ホルダーとロックプレートとが係止している状態の説明図である。
【図１１】（ａ）〜（ｆ）は同上のハンドルをストッパ片によりロックする状態を模式的に示した図である。
【図１２】同上に用いる接触子ホルダーを示し、（ａ）は正面図、（ｂ）は左側面図、（ｃ）は下面図、（ｄ）はＡ−Ａ断面図である。
【図１３】同上に用いる操作ハンドルを示し、（ａ）は正面図、（ｂ）は右側面図、（ｃ）は裏面図、（ｄ）は下面図、（ｅ）はＢ−Ｂ断面図である。
【図１４】同上に用いる中間板を示し、（ａ）は正面図、（ｂ）は右側面図、（ｃ）は裏面図、（ｄ）は上面図、（ｅ）は下面図、（ｆ）はＣ−Ｃ断面図、（ｇ）はＤ−Ｄ断面図である。
【図１５】同上に用いるロックプレートを示し、（ａ）は正面図、（ｂ）は裏面図、（ｃ）は下面図、（ｄ）はＥ−Ｅ断面図である。
【図１６】同上に用いる中間板に、ロックプレートを取り付けた状態を上側から見た図である。
【図１７】同上に用いるボディ及びカバーの外観斜視図である。
【図１８】（ａ）〜（ｄ）は同上のハンドルを別のストッパ片によりロックする状態を模式的に示した図である。
【図１９】（ａ）〜（ｄ）は同上のハンドルをまた別のストッパ片によりロックする状態を模式的に示した図である。
【図２０】（ａ）は同上のストッパ片の取付状態を説明する説明図、（ｂ）（ｃ）はストッパ片の外観斜視図、（ｄ）はストッパ片の一部省略せる側面図である。
【図２１】（ａ）は同上のハンドルをさらに別のストッパ片によりロックする状態を模式的に示した図であり、（ｂ）はストッパ片の外観斜視図である。
【図２２】（ａ）（ｂ）は従来のハンドルのロック構造を説明する模式図である。
【符号の説明】
【００５３】
１        器体
１１      操作ハンドル
１１ｄ    係合突起
１２      ストッパ片
３０ａ…  ガイド溝
【図１】
2005100856.tif 000003
【図２】
2005100856.tif 000004
【図３】
2005100856.tif 000005
【図４】
2005100856.tif 000006
【図５】
2005100856.tif 000007
【図６】
2005100856.tif 000008
【図７】
2005100856.tif 000009
【図８】
2005100856.tif 000010
【図９】
2005100856.tif 000011
【図１０】
2005100856.tif 000012
【図１１】
2005100856.tif 000013
【図１２】
2005100856.tif 000014
【図１３】
2005100856.tif 000015
【図１４】
2005100856.tif 000016
【図１５】
2005100856.tif 000017
【図１６】
2005100856.tif 000018
【図１７】
2005100856.tif 000019
【図１８】
2005100856.tif 000020
【図１９】
2005100856.tif 000021
【図２０】
2005100856.tif 000022
【図２１】
2005100856.tif 000023
【図２２】
2005100856.tif 000024